(57)【要約】      （修正有）【課題】簡単な構成で、低コストでかつ容易に組み付け可能な被固定物の保持構造を提供する。【解決手段】被固定物の保持構造は、固定枠部材１０の案内溝１１に任意の位置に移動調節可能に装着したナット部材を介して、被固定物３０を保持する構造であり、ナット部材は、雌ねじが貫通して形成されたナット部と、このナット部に固着された弾性体とを有し、案内溝１１は、ナット部材を任意の位置に移動して係合保持するための溝部１１ａと、ナット部材を溝部１１ａに装着するための開口部１１ｂとを有し、ナット部材を、弾性体を圧縮した状態で、ナット部と弾性体を開口部１１ｂに当てがい溝部１１ａに挿入し、開口部１１ｂから突出するナット部の一端部を、開口部１１ｂから溝部１１ａ内に押し込み弾性体を圧縮させて回転し、弾性体によりナット部の両端部を開口部１１ｂの内側に付勢し、案内溝１１に装着されたナット部材をずれないように保持する。【選択図】図７
2013133886.tif 000002
【特許請求の範囲】
【請求項１】
固定枠部材の案内溝に任意の位置に移動調節可能に装着したナット部材を介して、被固定物を保持する構造であり、
前記ナット部材は、雌ねじが貫通して形成されたナット部と、このナット部に固着された弾性体とを有し、
前記案内溝は、前記ナット部材を任意の位置に移動して係合保持するための溝部と、前記ナット部材を前記溝部に装着するための開口部とを有し、
前記ナット部材を、前記弾性体を圧縮した状態で、前記ナット部と前記弾性体を前記開口部に当てがい前記溝部に挿入し、
前記開口部から突出する前記ナット部の一端部を、前記開口部から前記溝部内に押し込み前記弾性体を圧縮させて回転し、
前記弾性体により前記ナット部の両端部を前記開口部の内側に付勢し、
前記案内溝に装着された前記ナット部材をずれないように保持することを特徴とする被固定物の保持構造。
【請求項２】
前記ナット部の前記両端部に、前記開口部の内側隅部に係合する係合部を形成したことを特徴とする請求項１に記載の被固定物の保持構造。
【請求項３】
前記弾性体に、前記雌ねじに連通する貫通孔を形成したことを特徴とする請求項１または請求項２に記載の被固定物の保持構造。
【発明の詳細な説明】
【技術分野】
【０００１】
この発明は、被固定物を所望の位置に移動調節して保持可能とし、また新たに被固定物を保持させる際も容易に行うことができる被固定物の保持構造に関するものである。
【背景技術】
【０００２】
従来、長物状の固定構造物に、所望の位置に被固定物を固定保持する際、固定構造物に案内溝を設けて、この案内溝に端部側から移動子を差し入れて、移動子を所望の位置に持っていって、この移動子に被固定物を取り付けて移動子を固定し、保持するようにした構造のものがある。
【０００３】
しかしながら、後から被固定物を追加固定するには、一度既に固定した被固定物を外し、固定構造物の案内溝の端部側から、新たに移動子を差し入れて順次、所望の位置にもたらして固定し、被固定物を保持するという手間を要し、作業が煩雑となるため、固定構造物に被固定物を所望の位置に移動調節して保持可能とし、また新たに被固定物を保持させる際も容易に行うことができるものがある（特許文献１）。
【先行技術文献】
【特許文献】
【０００４】
【特許文献１】特開平１０−３１８２３５号公報
【発明の概要】
【発明が解決しようとする課題】
【０００５】
この特許文献１では、案内溝側に移動子を仮に保持するための弾性付勢手段を備えており、移動子を移動させる広い範囲に弾性付勢手段を設ける必要があり、その分コストが嵩むとともに、組み付け手数を要するなどの問題がある。
【０００６】
この発明は、かかる実情に鑑みてなされたもので、簡単な構成で、低コストでかつ容易に組み付け可能な被固定物の保持構造を提供することを目的とする。
【課題を解決するための手段】
【０００７】
前記課題を解決し、かつ目的を達成するために、この発明は、以下のように構成した。
【０００８】
請求項１に記載の発明は、固定枠部材の案内溝に任意の位置に移動調節可能に装着したナット部材を介して、被固定物を保持する構造であり、前記ナット部材は、雌ねじが貫通して形成されたナット部と、このナット部に固着された弾性体とを有し、前記案内溝は、前記ナット部材を任意の位置に移動して係合保持するための溝部と、前記ナット部材を前記溝部に装着するための開口部とを有し、前記ナット部材を、前記弾性体を圧縮した状態で、前記ナット部と前記弾性体を前記開口部に当てがい前記溝部に挿入し、前記開口部から突出する前記ナット部の一端部を、前記開口部から前記溝部内に押し込み前記弾性体を圧縮させて回転し、前記弾性体により前記ナット部の両端部を前記開口部の内側に付勢し、前記案内溝に装着された前記ナット部材をずれないように保持することを特徴とする被固定物の保持構造である。
【０００９】
請求項２に記載の発明は、前記ナット部の前記両端部に、前記開口部の内側隅部に係合する係合部を形成したことを特徴とする請求項１に記載の被固定物の保持構造である。
【００１０】
請求項３に記載の発明は、前記弾性体に、前記雌ねじに連通する貫通孔を形成したことを特徴とする請求項１または請求項２に記載の被固定物の保持構造である。
【発明の効果】
【００１１】
前記構成により、この発明は、以下のような効果を有する。
【００１２】
請求項１に記載の発明では、ナット部材を、弾性体を圧縮した状態で、ナット部と弾性体を開口部に当てがい溝部に挿入し、開口部から突出するナット部の一端部を、開口部から溝部内に押し込み弾性体を圧縮させて回転し、弾性体によりナット部の両端部を開口部の内側に付勢し、容易に組み付け案内溝に装着されたナット部材をずれないように保持することができる。また、ナット部材は、雌ねじが貫通して形成されたナット部と、このナット部の固定側に固着された弾性体とを有し、案内溝は、ナット部材を任意の位置に移動して係合保持するための溝部と、ナット部材を溝部に装着するための開口部とを有する簡単な構成で、低コストである。
【００１３】
請求項２に記載の発明では、ナット部の両端部に、開口部の内側隅部に係合する係合部を形成したことで、ナット部材をがたつきなく円滑に所定位置に移動させることができる。
【００１４】
請求項３に記載の発明では、弾性体に、雌ねじに連通する貫通孔を形成したことで、ナット部材にボルトを螺着するときにボルトの先端部が弾性体に当たることがなく確実に螺着することができる。
【図面の簡単な説明】
【００１５】
【図１】固定枠部材の断面図である。
【図２】ナット部材の斜視図である。
【図３】ナット部材の正面図である。
【図４】ナット部材の平面図である。
【図５】ナット部材の側面図である。
【図６】固定枠部材にナット部材の組付けを説明する図である。
【図７】被固定物の保持構造で固定した状態の断面図である。
【発明を実施するための形態】
【００１６】
以下、この発明の被固定物の保持構造の実施の形態について説明する。この発明の実施の形態は、発明の最も好ましい形態を示すものであり、この発明はこれに限定されない。
【００１７】
（被固定物の保持構造の構成）  
この発明の被固定物の保持構造の実施の形態を、図１乃至図６に基づいて説明する。図１は固定枠部材の断面図、図２はナット部材の斜視図、図３はナット部材の正面図、図４はナット部材の平面図、図５はナット部材の側面図、図６は固定枠部材にナット部材の組付けを説明する図である。
【００１８】
この実施の形態の被固定物の保持構造は、固定枠部材１０と、ナット部材２０とから構成される。固定枠部材１０は、被固定物を保持するようにしたもので、固定枠部材１０にナット部材２０を任意の位置に移動して係合保持するための案内溝１１を備える。
【００１９】
固定枠部材１０は、例えばアルミニウム製の押し出し成形加工によって形成され、平坦面を有する幅広な基部１２が四角形に形成され、この基部１２に一体的に突設した案内溝１１を形成する保持部１３が形成されている。
【００２０】
この保持部１３に形成された案内溝１１は、ナット部材２０を任意の位置に移動して係合保持するための溝部１１ａと、ナット部材２０を溝部１１ａに装着するための開口部１１ｂとを有する。溝部１１ａの幅Ｗ１１を開口部１１ｂの幅Ｗ１２より広くし、開口部１１ｂの厚さをｔ１１とし、溝部１１ａの深さＨ１とし、深さＨ１は開口部１１ｂの幅Ｗ１２より大きくしている。
【００２１】
ナット部材２０は、ナット部２１と、弾性体２２とを有する。ナット部２１は、雌ねじ２１ａが貫通して形成されており、ナット部２１の両端部に、開口部１１ｂの内側隅部１１ｃに係合する係合部２１ｂが形成されている。弾性体２２は、発泡ウレタンが用いられるが、スポンジの他に、ゴム体等を用いてもよく、ナット部材２０の雌ねじ２１ａに連通する貫通孔２２ａが形成されている。弾性体２２は、ナット部材２０に両面テープ４０によって取り付けられるが、接着剤、焼付けなどによって取り付けてもよい。
【００２２】
ナット部材２０の幅Ｗ２１は、溝部１１ａの幅Ｗ１１より小さく、開口部１１ｂの幅Ｗ１２より広く形成され、長さＷ２２は案内溝１１を任意の位置に円滑に移動することができる長さに形成される。ナット部材２０は、厚さｔ２１に設定され、弾性体２２が圧縮されたときの厚さｔ２２は、開口部１１ｂの幅Ｗ１２より小さく形成され、開口部１１ｂから溝部１１ａに入り込み溝部１１ａの内部で回転可能である。
【００２３】
（ナット部材の組付け）  
次に、ナット部材の組付けを図６に基づいて説明する。図６は固定枠部材にナット部材の組付けを説明する図である。
【００２４】
ナット部材２０を手に持ち、ナット部２１と弾性体２２を固定枠部材１０の開口部１１ｂに当てがいそのまま溝部１１ｂに挿入するように押し込むと、弾性体２２が開口部１１ｂによって圧縮されて溝部１１ｂに挿入される（図６（ａ））。そして、開口部１１ｂから突出するナット部２１の一端部を、手によって開口部１１ａから溝部１１ｂ内に押し込み弾性体２２を圧縮させて回転させる（図６（ｂ））。ナット部材２０の回転によって案内溝１１に装着され、この装着状態で弾性体２２によりナット部２１の両端部に形成された係合部２１ｂを開口部１１ｂの内側隅部１１ｃに係合するように付勢する（図６（ｃ））。
【００２５】
このように、ナット部材２０は、弾性体２２により開口部１１ｂの内側に付勢されることで、案内溝１１に装着されたナット部材２０をずれないように保持することができる。また、装着状態で弾性体２２によりナット部２１の両端部に形成された係合部２１ｂを開口部１１ｂの内側隅部１１ｃに係合することで、ナット部材２０をがたつきなく円滑に所定位置に移動させることができる。
【００２６】
（被固定物の固定）
次に、被固定物の固定を、図７に基づいて説明する。図７は被固定物の保持構造で固定した状態の断面図である。
【００２７】
固定枠部材１０の案内溝１１に装着したナット部材２０を、任意の位置に移動調節し、このナット部材２０の位置に被固定物３０を当てがい、被固定物３０にボルト３１を挿通してナット部２１の雌ねじ２１ａに螺着する。ナット部２１のねじ雌ねじ２１ａに被固定物３０をボルト３１によりねじ止めすることで、ナット部材２０を固定枠部材１０の開口面近傍の内壁に圧接して固定保持することができ、被固定物３０の増設作業が完了する。
【００２８】
被固定物３０を増設するに際し、ナット部材２０を、弾性体２２を圧縮した状態で、ナット部２１と弾性体２２を固定枠部材１０の案内溝１１の開口部１１ｂに当てがい溝部１１ａに挿入し、開口部１１ｂから突出するナット部２１の一端部を、開口部１１ｂから溝部１１ａ内に押し込み弾性体２２を圧縮させて回転して容易に装着することができる。このナット部材２０の装着状態では、弾性体２２によりナット部２１の両端部を開口部１１ｂの内側に付勢し、容易に組み付け案内溝１１に装着されたナット部材２０をずれないように保持することができる。
【００２９】
また、ナット部材２０は、雌ねじ２１ａが貫通して形成されたナット部２１と、このナット部２１の固定側に固着された弾性体２２とを有し、案内溝１１は、ナット部材２０を任意の位置に移動して係合保持するための溝部１１ａと、ナット部材２０を溝部１１ａに装着するための開口部１１ｂとを有する簡単な構成で、低コストである。また、弾性体２２に、雌ねじ２１ａに連通する貫通孔２２ａを形成したことで、ナット部材２０にボルト３１を螺着するときにボルト３１の先端部が弾性体２２に当たることがなく確実に螺着することができる。
【産業上の利用可能性】
【００３０】
この発明は、被固定物を所望の位置に移動調節して保持可能とし、また新たに被固定物を保持させる際も容易に行うことができる被固定物の保持構造に適用され、簡単な構成で、低コストでかつ容易に組み付け可能である。
【符号の説明】
【００３１】
１０  固定枠部材
１１  案内溝
１１ａ    溝部
１１ｂ  開口部
１１ｃ  内側隅部
１２  基部
１３  保持部
２０  ナット部材
２１  ナット部
２１ａ  雌ねじ
２１ｂ  係合部
２２  弾性体
３０  被固定物
３１  ボルト
【図１】
2013133886.tif 000003
【図２】
2013133886.tif 000004
【図３】
2013133886.tif 000005
【図４】
2013133886.tif 000006
【図５】
2013133886.tif 000007
【図６】
2013133886.tif 000008
【図７】
2013133886.tif 000009